(57)【特許請求の範囲】
【請求項１】
外部装置と通信可能な画像形成装置であって、
前記外部装置からパケットを受信し、受信した前記パケットが第１タイプのパケットであるか第２タイプのパケットであるのかを判断する通信制御手段と、
前記通信制御手段によって前記第１タイプのパケット又は前記第２タイプのパケットが受信されたことに従って前記画像形成装置の起動処理を実行して制御データを揮発性の記憶手段に記憶する制御手段と、  前記通信制御手段によって受信された前記パケットが前記第１タイプのパケットであると判断された場合、前記画像形成装置を前記通信制御手段および前記揮発性の記憶手段に電力が供給される第１電力状態に移行させ、前記通信制御手段によって受信された前記パケットが前記第２タイプのパケットであると判断された場合、前記画像形成装置を前記通信制御手段に電力を供給しないが前記揮発性の記憶手段に電力が供給される第２電力状態に移行させる電源制御手段と、
起動要求を受信した場合、前記揮発性の記憶手段に記憶された前記制御データを使って前記画像形成装置を前記第２電力状態から前記第１電力状態に移行させる起動制御手段と、
を備えることを特徴とする画像形成装置。
【請求項２】
前記制御手段は、前記通信制御手段によって受信された前記パケットが前記第２タイプのパケットであると判断された場合、前記電源制御手段が前記画像形成装置を前記第２電力状態に移行させる前に、前記記憶手段に前記制御データを記憶する、ことを特徴とする請求項１に記載の画像形成装置。
【請求項３】
前記通信制御手段に電力を供給する第１の電源と、
前記記憶手段に展開される制御データに基づいて動作する前記制御手段に電力を供給する第２の電源と、
前記記憶手段に電力を供給する第３の電源と、を備え、
前記電源制御手段は、前記第１〜第３の電源からの電力供給を制御し、前記画像形成装置を前記第１電力状態に移行させる場合、前記電源制御手段は、前記第１の電源、前記第２の電源および前記第３の電源から前記通信制御手段、前記制御手段および前記記憶手段へ電力が供給されるよう制御し、前記画像形成装置を前記第２電力状態に移行させる場合、前記電源制御手段は、前記第１の電源および前記第２の電源から前記通信制御手段および前記制御手段への電力供給を停止する、ことを特徴とする請求項１に記載の画像形成装置。
【請求項４】
ＯＮ状態またはＯＦＦ状態になる電源スイッチをさらに備え、
前記第２電力状態において前記起動要求として前記電源スイッチがＯＮ状態になった場合、前記記憶手段に記憶された前記制御データを使って前記画像形成装置を前記第２電力状態から前記第１電力状態に移行させる、ことを特徴とする請求項１に記載の画像形成装置。 
【請求項５】
ＯＮ状態またはＯＦＦ状態になる電源スイッチをさらに備え、
前記電源スイッチがＯＦＦ状態になった場合、前記電源制御手段は、前記画像形成装置を前記第２電力状態に移行させる、ことを特徴とする請求項１に記載の画像形成装置。 
【請求項６】
前記画像形成装置を前記第２電力状態に移行させることを禁止する設定を行う設定手段をさらに備え、
前記設定手段による設定が有効である場合、前記電源制御手段は、前記第２タイプのパケットを受信したとしても、前記画像形成装置を前記第１電力状態に移行させる、ことを特徴とする請求項１に記載の画像形成装置。
【請求項７】
外部装置と通信可能な画像形成装置の制御方法であって、
通信制御手段が前記外部装置からパケットを受信する受信工程と、
前記受信工程で受信された前記パケットが第１タイプのパケットであるか第２タイプのパケットであるのかを判断する判断工程と、
前記受信工程で前記第１タイプのパケット又は前記第２タイプのパケットを受信したことに従って前記画像形成装置の起動処理を実行して制御データを揮発性の記憶手段に記憶する制御工程と、
前記受信工程で受信された前記パケットが前記第１タイプのパケットであると判断された場合、前記画像形成装置を、前記通信制御手段および前記揮発性の記憶手段に電力が供給される第１電力状態に移行させ、前記受信工程で受信されたパケットが前記第２タイプのパケットであると判断された場合、前記画像形成装置を、前記通信制御手段に電力を供給しないが前記揮発性の記憶手段に電力が供給される第２電力状態に移行させる電源制御工程と、
起動要求を受信した場合、前記揮発性の記憶手段に記憶された前記制御データを使って前記画像形成装置を前記第２電力状態から前記第１電力状態に復帰させる起動制御工程と、
を有することを特徴とする画像形成装置の制御方法。
【請求項８】
請求項７に記載の画像形成装置の制御方法をコンピュータに実行させることを特徴とするプログラム。
【発明の詳細な説明】
【技術分野】
【０００１】
本発明は、起動処理を変更可能な画像形成装置、画像形成装置の制御方法、及びプログラムに関するものである。
【背景技術】
【０００２】
サーバ装置を用いて遠隔操作で画像形成装置に電源投入を制御する方式は、画像形成装置が持つ全ての機能を使用できる状態であるアイドル状態まで起動する技術が確立されている。また、装置のシステムセットアップ情報によって、システムをアイドル状態にするか電源オフにするかを制御する技術がある（特許文献１参照）。
【先行技術文献】
【特許文献】
【０００３】
【特許文献１】特開２０００−８９８６４号公報
【発明の概要】
【発明が解決しようとする課題】
【０００４】
遠隔操作による電源投入方式では、定刻になるとサーバ装置が自動で画像形成装置に電源投入を行う方式が一般的である。しかし、自動で画像形成装置に電源投入される場合には、電源投入された画像形成装置の近くに当該画像形成装置をすぐに使用したい人がいる可能性は少なく、画像形成装置の自動電源投入後から実際に使用するまでには時間差がある。このため、すぐに使用されないにも関わらず画像形成装置は必ずアイドル状態で待機してしまい、その間に無駄な電力を消費してしまう。
【０００５】
一方、画像形成装置をすぐに使わない場合でも、いざ使うときにはすぐに動作可能な状態になって欲しいという要望もある。このため、サーバ装置から画像形成装置への電源投入時には、画像形成装置をアイドル状態で起動するか高速起動可能な状態のいずれかを選択できないという課題があった。
本発明は、上記の課題を解決するためになされたもので、本発明の目的は、サーバ装置から取得するパケットに応じて、画像形成装置の起動処理をアイドル状態、または高速起動状態のいずれかで実行してより節電効果を向上できる仕組みを提供することである。
【課題を解決するための手段】
【０００６】
上記目的を達成する本発明の画像形成装置は以下に示す構成を備える。
外部装置と通信可能な画像形成装置であって、前記外部装置からパケットを受信し、受信した前記パケットが第１タイプのパケットであるか第２タイプのパケットであるのかを判断する通信制御手段と、前記通信制御手段によって前記第１タイプのパケット又は前記第２タイプのパケットが受信されたことに従って前記画像形成装置の起動処理を実行して制御データを揮発性の記憶手段に記憶する制御手段と、前記通信制御手段によって受信された前記パケットが前記第１タイプのパケットであると判断された場合、前記画像形成装置を前記通信制御手段および前記揮発性の記憶手段に電力が供給される第１電力状態に移行させ、前記通信制御手段によって受信された前記パケットが前記第２タイプのパケットであると判断された場合、前記画像形成装置を前記通信制御手段に電力を供給しないが前記揮発性の記憶手段に電力が供給される第２電力状態に移行させる電源制御手段と、起動要求を受信した場合、前記揮発性の記憶手段に記憶された前記制御データを使って前記画像形成装置を前記第２電力状態から前記第１電力状態に移行させる起動制御手段と、を備えることを特徴とする。
【発明の効果】
【０００７】
本発明によれば、サーバ装置から取得するパケットに応じて、画像形成装置の起動処理をアイドル状態、または高速起動状態のいずれかで実行してより節電効果を向上できる。
【図面の簡単な説明】
【０００８】
【図１】本実施形態を示す画像形成装置の構成を示す図である。
【図２】図１に示した画像形成装置の制御部の全体構成を示すブロック図である。
【図３】図２に示したコントローラ制御部の構成を示すブロック図である。
【図４】図２に示した画像形成装置の操作部の構成を表す図である。
【図５】本実施形態を示す画像形成装置の電源の遷移状態を示す図である。
【図６】画像形成装置の制御方法を説明するフローチャートである。
【図７】画像形成装置の制御方法を説明するフローチャートである。
【発明を実施するための形態】
【０００９】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
＜システム構成の説明＞
〔第１実施形態〕
【００１０】
図１は、本実施形態を示す画像形成装置の構成を示す図である。本例に示す画像形成装置は、イメージリーダ２００およびプリンタ部３００からなる画像形成装置本体、折り装置５００およびフィニッシャ６００を含んでいる。イメージリーダ２００の上部には、原稿搬送装置１００が装着されている。また、フィニッシャ６００の上部には、インサータ７００が設けられている。なお、画像形成装置は、後述する通信制御部４５０を介してサーバ装置４５３と通信可能に構成され、後述する起動処理を制御するためのパケットを取得する。
【００１１】
図１において、原稿搬送装置１００は、原稿トレイ１０５上にセットされた原稿を先頭頁から順に１枚ずつ給紙し、湾曲したパスを介して原稿台ガラス２０５の上へと搬送する。片面原稿を読取る方法には２つの読取モードがある。まず、原稿台ガラス２０５上の読取位置Ｒ１へ原稿の後端を搬送、停止させ、スキャナユニット２０６を左から右へ移動させることにより、原稿の読取りを行う原稿固定読取モード（第１の読取モード）がある。また、原稿をある読取り速度で読取位置Ｒ１へ搬送し、スキャナユニット２０６を読取位置Ｒ１で固定したまま原稿の読取りを行う原稿流し読取モード（第２の読取モード）がある。その後、いずれのモードの場合も、読取った原稿を排紙トレイ１０６に排出する。
【００１２】
両面原稿を読取る方法としては、スキャナユニット２０６で表面を読取り、原稿搬送装置１００内に配置した光学ユニット１１０を使用して裏面を読取る方法がある。詳細な説明は後述する。光学ユニット１１０内には図示しないイメージセンサおよび光源等が配置されている。
【００１３】
レンズ２０７を介してイメージセンサ２０８により読取られた原稿の画像は、プリンタ制御部３０１を介して露光制御部３０５に送られる。露光制御部３０５は、画像信号に応じたレーザ光を出力する。このレーザ光が感光ドラム３０６に照射されると、感光ドラム３０６上には静電潜像が形成される。感光ドラム３０６上の静電潜像は現像器３０７により現像され、感光ドラム３０６上の現像剤はカセット３０８、３０９、手差し給紙部３１０および両面搬送パス３１１のいずれかから給送されたシートに転写部３１２で転写される。
【００１４】
現像剤が転写されたシートは定着部３１３に導かれると、現像剤の定着処理が施される。定着部３１３を通過したシートを、図示しないフラッパにより、一旦、パス３１５からパス３１４に導き、シートの後端がパス３１５を抜けた後、シートをスイッチバックさせてパス３１６から排出ローラ３１７に導く。これにより、現像剤が転写された面を下向きの状態（フェイスダウン）にして排出ローラ３１７によりプリンタ部３００から排出することが可能である。これを反転排紙という。このように、フェイスダウンで排出することにより、原稿搬送装置１００を用いて複数枚の原稿を読取った画像をプリントする場合など、先頭頁から正しい頁順で画像形成を行うことが可能である。
【００１５】
尚、手差し給紙部３１０からＯＨＰシートなどの硬いシートに画像形成を行う場合、パス３１５に導くことなく、現像剤が転写された面を上向きの状態（フェイスアップ）のままで排出ローラ３１７から排出する。
【００１６】
また、シートの両面に画像形成を行う場合、シートを定着部３１３からパス３１５、パス３１４に導き、シートの後端がパス３１５を抜けた直後にシートをスイッチバックさせ、図示しないフラッパにより両面搬送パス３１１に導く。両面搬送パス３１１に導かれたシートに対し、再度、転写部３１２で静電潜像が転写され、定着部３１３で定着処理が施される。
【００１７】
このように、転写部３１２から両面搬送パス３１１を経由して再び転写部３１２に戻る一巡のパスの中に、Ａ４、Ｂ５等のハーフサイズ用紙が５枚入った状態でも搬送可能なように、パス長、ローラ配置、駆動系の分割がなされている。尚、これらの処理による排出頁順は、奇数頁が下向きになるように排出されるので、両面コピー時の頁順を合わせることができる。
【００１８】
排出ローラ３１７から排出されたシートは折り装置５００に送り込まれる。折り装置５００はシートをＺ折りに折りたたむ処理を行う。Ａ３サイズやＢ４サイズのシートで折り処理の指定がなされている場合、折り装置５００で折り処理が行われた後にフィニッシャ６００に送り込まれるが、それ以外のサイズのシートはそのままフィニッシャ６００に送り込まれる。フィニッシャ６００は製本処理、綴じ処理、穴あけなどの処理を行う。また、フィニッシャ６００の上部には、インサータ７００が設けられており、表紙、合紙等をフィニッシャ６００に給送する。
コントローラ制御部４００はイメージリーダ２００、プリンタ部３００、折り装置５００およびフィニッシャ６００と通信を行い、画像形成装置全体の制御を司る。
図２は、図１に示した画像形成装置の制御部の全体構成を示すブロック図である。本例は、画像形成装置全体を制御するコントローラ制御部４００を中心に構成されている。
【００１９】
図２において、コントローラ制御部４００には、操作部８００の設定やサーバ装置４５３からの指示で原稿搬送装置１００を制御する原稿搬送装置制御部１０１がある。また、コントローラ制御部４００はイメージリーダ２００を制御するイメージリーダ制御部２０１と通信を行い入力される原稿の画像データを取得する。さらに、プリンタ部３００を制御するプリンタ制御部３０１と通信を行い、画像データをシートに印刷する。折り装置５００を制御する折り装置制御部５０１、フィニッシャ６００を制御するフィニッシャ制御部６０１と通信を行い、印刷されたシートにステイプルやパンチ穴といった所望の出力を実現する。
【００２０】
通信Ｉ／Ｆ４５１はサーバ装置４５３を接続するインターフェース４であり、例えばネットワークやＵＳＢなどの外部バス４５２で接続しサーバ装置４５３からのプリントデータを画像に展開して出力することを行う。
図３は、図２に示したコントローラ制御部４００の構成を示すブロック図である。
【００２１】
図３において、コントローラ制御部４００は、主制御部４１０内のＣＰＵ４０１で制御され、オペレーティングシステム（以下、ＯＳ）で制御される。バスブリッジ４０８はＣＰＵ４０１の初期起動プログラムを格納しているＲＯＭ４０３、ＣＰＵ４０１の制御データを一時的に保持し、制御に伴う演算の作業領域として用いられる主記憶メモリ（主メモリ）４０５が接続されている。
【００２２】
記憶ストレージ４０２には、ＣＰＵ４０１のＯＳを含むメインプログラムを格納している。また、本実施例での画像形成装置が動作状態である場合の画像データの一時的な記憶領域としても使用する。
また、ネットワークやＵＳＢインターフェースを制御する通信制御部４５０、操作部８００を制御する操作部制御部４０６が接続されている。
【００２３】
ＣＰＵ４０１は、バスブリッジ４０８を介して、デバイス制御部４０７間の通信を行う。デバイス制御部４０７は原稿搬送装置制御部１０１、イメージリーダ制御部２０１、プリンタ制御部３０１、折り装置制御部５０１、フィニッシャ制御部６０１と接続され制御を司る。
【００２４】
電源制御部４１８は、画像形成装置全体の電源を制御する。原稿搬送装置制御部１０１、イメージリーダ制御部２０１、プリンタ制御部３０１、折り装置制御部５０１、フィニッシャ制御部６０１への電源制御およびコントローラ制御部４００内の省電力モードへの電源制御を実施する。
第１の電源ＯＮ／ＯＦＦ切り替え器４１２は、通信制御部４５０に電源を供給している第１の電源４１１のＯＮ／ＯＦＦを切り替える。
第２の電源ＯＮ／ＯＦＦ切り替え器４１５はコントローラ制御部４００内のＣＰＵ４０１、記憶ストレージ４０２、ＲＯＭ４０３に電源を供給している第２の電源４１３のＯＮ／ＯＦＦを切り替える。
第３の電源ＯＮ／ＯＦＦ切り替え器４１７はコントローラ制御部４００内の主記憶メモリ４０５に電源を供給している第３の電源４１６のＯＮ／ＯＦＦを切り替える。
通信制御部４５０は、第１の電源ＯＮ／ＯＦＦ切り替え器４１２に接続され、通信Ｉ／Ｆ４５１を介して受信したパケットを判断してフラグレジスタ４１４を制御する。
メインＳＷ４２０は、ユーザによる直接操作があったことを電源制御部４１８に伝える。ここで、メインＳＷ４２０は、電源投入を電源制御部４１８に対して指示する。そして、メインＳＷ４２０からの電源オン指示を高速起動状態で受け付けた場合、ＣＰＵ４０１は画像形成装置を高速起動状態からアイドル状態に移行させる制御を後述する図６，図７に示す手順に従い実行する。なお、電源制御部４１８は、後述するアイドル状態時において、第１〜第３の電源からの通電を許可して、画像形成装置を画像形成可能な状態に遷移させる。
【００２５】
図４は、図２に示した画像形成装置の操作部８００の構成を表す図である。
図４において、ＬＣＤ表示部９００は、ＬＣＤ上にタッチパネルシートが貼られており、システムの操作画面を表示するとともに、表示してあるキーがユーザの操作に従って押されるとその位置情報をコントローラ制御部４００に伝える。テンキー８０１はコピー枚数など、数字の入力時に使用する。スタートキー８０２は、ユーザ所望の条件を設定した後、複写動作、原稿の読取り動作を開始する時などに用いる。ストップキー８０３は稼働中の動作を止めるときに使用する。省エネキー８０４はユーザが省電力モードへの移行、復帰を行うのに使用する。
【００２６】
また、８０５はガイドキーであり、キーの機能が解らないとき押すとそのキーの説明が表示される。８０６はコピーモードキーであり、複写を行うときに押す。８０７はファクスキーであり、ファクスに関する設定を行うときに押す。８０８はファイルキーであり、ファイルデータを出力したいときに押す。８０９はプリンタキーであり、コンピュータ等の外部装置からのプリント出力に関する設定などを行うときに使用する。
図５は、本実施形態を示す画像形成装置の電源の遷移状態を示す図である。以下、本実施形態の画像形成装置における電源状態について詳細に説明する。
【００２７】
まず、商用電源（ＡＣコンセント）がＯＦＦの状態の場合、装置は全てＯＦＦ状態（Ｐ１０３）となる。このとき、装置には電源が全く来ていない状態なので、電気的な全ての操作を受け付けない。
【００２８】
全てＯＦＦ状態（Ｐ１０３）のとき、商用電源がＯＮされると、画像形成装置の電源状態は、シャットダウン状態（Ｐ１０４）に状態遷移する。このとき、まず、電源制御部４１８に通電され、次に電源制御部４１８が第１の電源ＯＮ／ＯＦＦ切り替え器４１２をＯＮすることで、サーバ装置４５３からの起動（リモートＯＮ）パケット受信のための通信制御部４５０が起動する。
【００２９】
シャットダウン状態（Ｐ１０４）のとき、サーバ装置４５３から高速起動状態（Ｐ１０２）への移行命令パケットが来たとき、画像形成装置は高速起動状態（Ｐ１０２）へ状態遷移する。この状態のとき、電源制御部４１８は第３の電源ＯＮ／ＯＦＦ切り替え器４１７をＯＮし、主制御部４１０のうち、主記憶メモリ４０５と電源制御部４１８のみ通電されている状態である。
【００３０】
また、高速起動状態（Ｐ１０２）のとき、ユーザがメインＳＷ４２０をＯＮすると、画像形成装置の電源状態は、アイドル状態（Ｐ１００）に状態遷移する。このように、メインＳＷ４２０からの電源オン指示を前記高速起動状態で受け付けた場合、画像形成装置を高速起動状態からアイドル状態に移行させる。
このアイドル状態のとき、第１の電源ＯＮ／ＯＦＦ切り替え器４１２、第２の電源ＯＮ／ＯＦＦ切り替え器４１５及び第３の電源ＯＮ／ＯＦＦ切り替え器４１７は全てＯＮされている状態である。
また、操作部制御部４０６とデバイス制御部４０７にも通電されており、画像形成装置は全て駆動されている状態である。
【００３１】
アイドル状態（Ｐ１００）のとき、予め装置に設定された一定時間を経過すると、スリープ状態（Ｐ１０１）に状態遷移する。この状態のとき、第１の電源ＯＮ／ＯＦＦ切り替え器４１２及び第３の電源ＯＮ／ＯＦＦ切り替え器４１７はＯＮされた状態であるが、コントローラ制御部４００内の主記憶メモリ４０５を除く部分は全て電源がＯＦＦされている状態である。
以下、本実施形態を示す画像形成装置のリモート電源制御方法および利用方法に関して詳細に説明する。本実施形態では、通信制御部４５０が取得したパケットの内容が画像形成装置本体を画像形成可能なアイドル状態で起動させるパケットであるか、または、画像形成装置本体の主メモリへの通電以外を制限する高速起動状態で起動させるパケットであるかを判断する。
【００３２】
図６は、本実施形態を示す画像形成装置の制御方法を説明するフローチャートである。本例は、画像形成装置が高速起動可能状態で待機する起動パケットをサーバから受信した場合の起動処理例である。なお、各ステップは、電源制御部４１８と、ＣＰＵ４０１とが連係して処理する。ここで、ＣＰＵ４０１は、ＲＯＭ４０３から制御プログラムを主記憶メモリ４０５にロードして実行することで実現する。以下、サーバ装置４５３から取得するパケットに従い、画像形成装置をアイドル状態あるいは高速起動状態に遷移させる起動制御について説明する。
まず、画像形成装置の電源制御部４１８及び通信制御部４５０のみに電源が供給されている状態（Ｐ１０４）にあるものとする。
コントローラ制御部４００内の通信制御部４５０は、サーバ装置４５３から起動パケットであるか否かを待機している状態である（Ｓ１０１）。
【００３３】
ここで、通信制御部４５０が起動パケットを受信したと判断すると、通信制御部４５０はそのパケットが高速起動状態で待機する命令パケットであるか否かを判断し、そうであれば高速起動フラグをフラグレジスタ４１４に立て（Ｓ１０２）、Ｓ１０４へ進む。
一方、Ｓ１０２で、ＣＰＵ４０１は、通信制御部４５０が高速起動状態で待機する命令パケットでないと判断した場合は、操作部８００に初期化中であることをユーザに伝える表示をする（Ｓ１０３）。
【００３４】
そして、Ｓ１０２の判定で高速起動フラグが立っていると電源制御部４１８が判断した場合、Ｓ１０４へ進む。そして、電源制御部４１８は第２の電源ＯＮ／ＯＦＦ切り替え器４１５及び第３の電源ＯＮ／ＯＦＦ切り替え器４１７を電源ＯＮし、ＣＰＵ４０１はデバイス制御部４０７、操作部制御部４０６を除くコントローラ制御部４００の起動処理を行う（Ｓ１０４）。
【００３５】
Ｓ１０４の起動処理時に、ＣＰＵ４０１は高速起動フラグが立っているか否かを判断し（Ｓ１０５）、高速起動フラグが立っているとＣＰＵ４０１が判断した場合は、Ｓ１０４の処理が完了した後（Ｓ１０６）、高速起動状態で待機する（Ｓ１０７）。
【００３６】
また、高速起動状態のとき、電源制御部４１８は第２の電源ＯＮ／ＯＦＦ切り替え器４１５及び第１の電源ＯＮ／ＯＦＦ切り替え器４１２をＯＦＦする。しかし、第３の電源ＯＮ／ＯＦＦ切り替え器４１７はＯＮすることで、主記憶メモリ４０５のデータを保持し、ユーザによってメインＳＷ４２０がＯＮされたとき高速で起動する。
一方、Ｓ１０５で、高速起動フラグが立っていないとＣＰＵ４０１が判断した場合は、Ｓ１０４の後にＳ１０４で行われなかった残りの起動処理フロー（Ｓ１１０）に入る。
次に、メインＳＷ４２０がＯＮされると、ＣＰＵ４０１は、省電力モードを解除して（Ｓ１０８）、操作部８００に初期化中であることをユーザに伝える表示を行う（Ｓ１０９）。
【００３７】
そして、Ｓ１０４の起動処理で行われなかった残りのデバイス制御部４０７の起動処理を行う（Ｓ１１０）。ここでは、例えば、モータやソレノイドなど、原稿、シートの搬送に必要な処理であったり、画像を形成するのに必要な処理であったり、振動・衝撃等が発生するものを示す。
【００３８】
次に、コントローラ制御部４００と周辺装置とのネゴシエーションを行う（Ｓ１１１）。例えば、コントローラ制御部４００は周辺装置の情報を取得したり、通信が正常に行われているか否かのチェックを行ったりする。
以上の処理が終わると、画像形成装置の起動処理を終え、装置はアイドル状態となる（Ｓ１１２）。
これにより、遠隔操作による電源投入後の画像形成装置の立ち上げ段階を、サーバ装置からのパケットの種類に応じて決定することができる。これによって、すぐに使われない画像形成装置の待機時消費電力を抑えることができる。
また、画像形成装置の立ち上げ段階を、ユーザの普段のセットアップ状態に応じて変えることができる。これによってユーザの普段の設定で画像形成装置を起動することができる。
〔第２実施形態〕
【００３９】
上記実施形態では、高速起動するパケットを受信した場合には、必ず高速起動処理を実行する場合について説明した。しかしながら、画像形成装置を共有するユーザ環境によっては、そのような起動処理を好まない場合もある。そこで、上記パケットを受信しても、あらかじめ操作部８００より当該パケットを無効化する設定がなされている場合には、高速起動処理を実行することなく、アイドル状態で起動するように制御してもよい。以下、その実施形態について詳述する。
図７は、本実施形態を示す画像形成装置の制御方法を説明するフローチャートである。本例は、画像形成装置が高速起動可能状態で待機する命令パケットをサーバから受信した場合の起動処理例である。なお、各ステップは、電源制御部４１８と、ＣＰＵ４０１とが連係して処理する。ここで、ＣＰＵ４０１は、ＲＯＭ４０３から制御プログラムを主記憶メモリ４０５にロードして実行することで実現する。以下、サーバ装置４５３から取得するパケットに従い、高速起動処理を制限する設定の有効／無効を判断して画像形成装置をアイドル状態あるいは高速起動状態に遷移させる起動制御について説明する。
本例では、画像形成装置の電源制御部４１８及び通信制御部４５０のみに電源が供給されている状態にあるものとする。
コントローラ制御部４００内の通信制御部４５０は、サーバ装置４５３からの起動パケットが送信されてくるか否かを待機している状態である（Ｓ２０１）。
【００４０】
通信制御部４５０が起動パケットを受信したことを認識すると、通信制御部４５０はそのパケットが高速起動状態で待機する命令パケットであるか否かを判断し、そうであれば高速起動フラグをフラグレジスタ４１４上に立て（Ｓ２０２）、Ｓ２０５へ進む。
【００４１】
一方、Ｓ２０２で、高速起動フラグが立っていないと通信制御部４５０が判断した場合は、さらに、画像形成装置の設定が高速起動禁止するための高速起動禁止フラグが立っているかどうかを判断する（Ｓ２０３）。
【００４２】
例えば、高速起動はメインＳＷ４２０のＯＦＦ時に主記憶メモリ４０５の通電を伴うため、それを禁止したい場合に高速起動禁止設定を行うことができる。高速起動禁止フラグが主記憶メモリ４０５上で立っているとＣＰＵ４０１が判断した場合は、Ｓ２０４に進み、高速起動禁止フラグが立っていないと判断した場合は、Ｓ２０５へ進む。
なお、Ｓ２０４では、ＣＰＵ４０１は、操作部８００に初期化中であることをユーザに伝える表示をする（Ｓ２０４）。
【００４３】
そして、電源制御部４１８は第２の電源ＯＮ／ＯＦＦ切り替え器４１５及び第３の電源ＯＮ／ＯＦＦ切り替え器４１７を電源ＯＮし、ＣＰＵ４０１はデバイス制御部４０７、操作部制御部４０６を除くコントローラ制御部の起動処理を行う（Ｓ２０５）。
【００４４】
Ｓ２０５の起動処理時に、ＣＰＵ４０１は高速起動フラグ及び高速起動禁止フラグが立っているか否かを判断し（Ｓ２０６、Ｓ２０７）、高速起動フラグＯＮかつ高速起動禁止フラグＯＦＦの場合は、Ｓ２０５の処理が完了するのを待機する（Ｓ２０８）。そして、ＣＰＵ４０１は、Ｓ２０５の処理が完了した後、高速起動状態で待機する（Ｓ２０９）。
【００４５】
この高速起動状態のとき、電源制御部４１８は第２の電源ＯＮ／ＯＦＦ切り替え器４１５及び第１の電源ＯＮ／ＯＦＦ切り替え器４１２をＯＦＦする。しかし、第３の電源ＯＮ／ＯＦＦ切り替え器４１７はＯＮすることで、主記憶メモリ４０５のデータを保持し、ユーザによってメインＳＷ４２０がＯＮされたとき高速で起動する。
【００４６】
次に、ＣＰＵ４０１は、メインＳＷ４２０がＯＮされることにより、高速起動状態を解除指示されているかどうかを判断する（Ｓ２１０）。ここで、高速起動状態を解除指示されたとＣＰＵ４０１が判断した場合、ＣＰＵ４０１は、操作部８００に初期化中であることをユーザに伝える表示を行う（Ｓ２１１）。
【００４７】
次に、Ｓ２０６，Ｓ２０７において、高速起動フラグＯＦＦまたは高速起動禁止フラグＯＮであるとＣＰＵ４０１が判断した場合は、Ｓ２０５の後にＳ２０５で行われなかった残りの起動処理フローに入る（Ｓ２１２）。具体的には、Ｓ２０５の起動処理で行われなかった残りのデバイス制御部４０７の起動処理を行う。例えば、モータやソレノイドなど、原稿、シートの搬送に必要な処理であったり、画像を形成するのに必要な処理であったり、振動・衝撃等が発生するものを示す。
【００４８】
次に、コントローラ制御部４００と周辺装置とのネゴシエーションを行う（Ｓ２１３）。例えば、コントローラ制御部４００は周辺装置の情報を取得したり、通信が正常に行われているか否かのチェックを行ったりする。
以上の処理が終わると、画像形成装置の起動処理を終え、装置はアイドル状態となる（Ｓ２１４）。
これにより、第１実施形態の効果に加えて、ユーザ勝手のよい起動処理を画像形成装置に実行させることが可能となる。
【００４９】
本発明の各工程は、ネットワーク又は各種記憶媒体を介して取得したソフトウエア（プログラム）をパソコン（コンピュータ）等の処理装置（ＣＰＵ、プロセッサ）にて実行することでも実現できる。
【００５０】
本発明は上記実施形態に限定されるものではなく、本発明の趣旨に基づき種々の変形（各実施形態の有機的な組合せを含む）が可能であり、それらを本発明の範囲から除外するものではない。
【符号の説明】
【００５１】
４００  コントローラ制御部
４０１  ＣＰＵ
４１０  主制御部
４１８  電源制御部
４１４  フラグレジスタ
【図１】
0006025307.tif 000002
【図２】
0006025307.tif 000003
【図３】
0006025307.tif 000004
【図４】
0006025307.tif 000005
【図５】
0006025307.tif 000006
【図６】
0006025307.tif 000007
【図７】
0006025307.tif 000008